(57)【特許請求の範囲】
【請求項１】
移動式車両の中の空調空間を冷却する蒸発器コイルを通して冷媒を循環させるように操作可能であり、ユーザによって調節できる設定点温度である目標温度の範囲内に空調空間の気温を事実上維持するように操作可能である輸送車温度制御装置の蒸発器コイルを除霜する方法であって、
設定点温度がフレッシュ温度範囲にあるかどうかを決めるステップと、
空調空間から温度制御装置へ戻る空気の還気温度を検出するステップであって、還気が空調空間内の積荷の温度を表す、ステップと、
還気温度が設定点温度より高いとき、及び設定点温度がフレッシュ温度範囲にあるとき、温かい積荷除霜制御アルゴリズムを作動可能にするステップであって、還気温度が設定点温度より高いことは、積荷が設定点温度より温かいことを示す、ステップと、
温かい積荷除霜制御アルゴリズムが作動可能にされる間、蒸発器コイルから凝縮物を取り除く第１の除霜サイクルを始めるステップと、
ある除霜持続時間を有する第１の除霜サイクルを終了するステップと、
除霜持続時間が予め定められた時間より短いときに、前回の除霜時間間隔を増やし、除霜持続時間が予め定められた時間と等しいときに、前回の除霜時間間隔を維持し、除霜持続時間が予め定められた時間より長いときに、前回の除霜持続間隔を減少させるステップを含む、除霜持続時間によって除霜時間間隔を定めるステップと、
除霜時間間隔が終わりになったあと、第２の除霜サイクルを始めるステップと、
還気温度が設定点温度及び予め定められた温度の少なくとも一つより低いか等しいときに、温かい積荷除霜制御アルゴリズムを作動不能にするステップ
を備える輸送車温度制御装置の蒸発器コイルの除霜方法。
【請求項２】
温かい積荷除霜制御アルゴリズムを作動可能にすることは、還気温度が少なくとも−12.2℃（華氏１０度）であって設定点温度より高いとき、温かい積荷除霜制御アルゴリズムを作動可能にすることを更に含む請求項1に記載の除霜方法。
【請求項３】
温かい積荷除霜制御アルゴリズムを作動可能にすることは、還気温度が少なくとも−9.4℃（華氏１５度）であって設定点温度より高いとき、温かい積荷除霜制御アルゴリズムを作動可能にすることを更に含む請求項1に記載の除霜方法。
【請求項４】
前記除霜間隔を定めるステップは、一組の除霜間隔調整パラメータから除霜間隔を定めることを含む請求項1に記載の除霜方法。
【請求項５】
前記除霜間隔を定めるステップが除霜間隔初期設定値で除霜間隔初期設定値タイマーをセットすることを含む請求項1に記載の除霜方法。
【請求項６】
前記除霜間隔を定めるステップは、一組の除霜間隔調整パラメータに従って除霜間隔初期設定値を調整することを含む請求項5に記載の除霜方法。
【発明の詳細な説明】
【０００１】
【発明の属する技術分野】
本発明は除霜する方法に関し、さらに詳しくいえば、本発明は輸送車温度制御装置の蒸発器コイルを除霜する方法に関する。
【０００２】
【従来の技術】
普通のトラックおよび大型トレーラが貨物の品質を保存するために運搬の間、所定または所望の温度に維持されなければならない貨物を輸送するための手段として用いられることが多い。この貨物は、食品、農産品または温度が重要なまざまな他の品物であってもよい。以下、輸送の間、所定の温度に維持されなければならない貨物を輸送するすべての車両を「移動式車両」または「輸送車」と称する。以下、用語「貨物」は、所定の温度に維持されなければならない輸送車の空調空間の中に入れて輸送、貯蔵または支持されるあらゆる品物を意味する。この種の感温性貨物を輸送する輸送車には空調空間がある。
【０００３】
この種の温度感光性貨物を輸送する輸送車は、空調空間を備える。空調空間の内部の温度は、温度制御装置によって選択された温度設定値の付近の温度範囲内に制御される。輸送車の中には複数の空調空間を有し、温度制御装置によって同じ温度設定値またはいろいろな温度設定値に維持されることができるものがある。
【０００４】
温度制御装置は、空調空間を温度設定値に冷却または加熱するようにプログラムできる。温度制御装置が空調空間を冷却しているとき、霜が温度制御装置に蓄積する可能性がある。さらに詳しくいえば、霜（または凝縮物）は、温度制御装置の蒸発器コイルに堆積し、冷却モードの温度制御装置の効率を減少させる可能性がある。除霜サイクルが一般に凝縮物を取り除くために利用される。除霜サイクルは、蒸発器コイルを通して加熱流体を回すことによって行われる。流体からの熱は蒸発器コイルに通され、凝縮物を融解させる。温度制御装置は、除霜後に冷却モードに戻って、蒸発器コイル上の凝縮物の蓄積が減少したためにそれまでより大きな効率で冷却する。
【０００５】
手動除霜サイクル、固定時間除霜サイクルおよび静圧除霜サイクルなどの多くの様々な除霜サイクルのタイプが存在する。手動除霜サイクルは、人間が開始と終了を行い、一方、固定時間除霜サイクルは、時間をプログラムできる固定タイマーで開始と終了を行う。静圧除霜サイクルは、蒸発器コイルの中の静圧が望ましくないレベルに達すると開始し、静圧が望ましいレベルになると終了する。
【０００６】
【発明が解決しようとする課題】
上記の温度制御装置の除霜サイクルに関する一つの問題は、該装置の除霜サイクルが人によって開始と停止を行われることである。
【０００７】
上記の温度制御装置の除霜サイクルに関するもう一つの問題は、該装置の除霜サイクルが空調空間内の環境と状件を変化させるのに固定タイマーで動作することである。
【０００８】
上記の温度制御装置の除霜サイクルに関する更なる問題は、該装置の除霜サイクルが不正確な静圧読み取りに基づいて動作する可能性があることである。
【０００９】
【課題を解決するための手段】
本発明は、上記およびその他の問題の一つ以上を事実上軽減す輸送車温度制御装置の蒸発器コイルの除霜をする方法を提供する。
【００１０】
さらに具体的に言えば、本発明は輸送車温度制御装置の蒸発器コイルを除霜する方法を提供する。輸送車温度制御装置は、移動式車両の中の空調空間を冷却する蒸発器コイルを通して冷媒を循環させるように作動可能であり、目標温度の範囲内に空調空間の気温を事実上維持するように作動可能である。前記方法は、制御センサーを設けることと、制御センサーで空調空間の気温を検出することと、空調空間の気温と目標温度を比較することと、気温が目標温度より高いとき、蒸発器コイルから凝縮物を取り除くように操作できる除霜サイクルを作動可能にすることを備えている。
【００１１】
輸送車温度制御装置の蒸発器コイルの除霜をする方法を提供することが本発明のもう一つの特徴である。輸送車温度制御装置は移動式車両の中の空調空間を冷却するために蒸発器コイルを通して冷媒を循環させるように操作可能である。前記方法は、蒸発器コイルから凝縮物を取り除く第１の除霜サイクルを始めることと、第１の除霜サイクルを終了することを含む。第１の除霜サイクルには除霜持続時間がある。前記方法は、除霜持続時間によって除霜時間間隔を定めること、および除霜間隔が終わりになったあと、第２の除霜サイクルを始めることを含む。
【００１２】
輸送車温度制御装置の蒸発器コイルを除霜する方法を提供することは本発明の更なる特徴である。輸送車温度制御装置は、移動式車両の中の空調空間を冷却するために蒸発器コイルを通して冷媒を循環させるように操作可能であり、目標温度の範囲内に空調空間の気温を事実上維持するように操作可能である。本方法は、空調空間の気温を検出することと、空調空間の気温が目標温度より高いとき、温かい積荷除霜を作動可能にすることと、蒸発器コイルから凝縮物を取り除く第１の除霜サイクルを始めることと、第１の除霜サイクルを終了することを含む。第１の除霜サイクルはある除霜持続時間を有する。本方法は、除霜持続時間によって除霜間隔を定めることとと、除霜間隔が終わりになったあと、第２の除霜サイクルを始めることを含む。
【００１３】
本発明の実施例を詳細に説明する前に、本発明はその用途において以下の説明に記載され、図面において例示された構成要素の構成および配置の細部に制限されないと理解されるべきである。本発明は、他の実施例でもできるし、さまざまな方法で実施できる。また、本願明細書において用いられる語法および術語は、説明のためであって、制限することと考えられてはならないと理解される。
【００１４】
【発明の実施の形態】
本発明は、輸送車温度制御装置を除霜するのに用いられる。さらに詳しく言えば、本発明は、温かい貨物または温かい積荷が輸送車車両の空調空間内で検出されるとき、輸送車温度制御装置の蒸発器コイルの除霜をするのに用いられる。この種類の除霜は、温かい積荷除霜と考えることができる。
【００１５】
温度制御装置は、空調空間を冷却するためと加熱するためのそれぞれの冷却モードと加熱モードを備えている。蒸発器コイルの除霜が冷却モードにおいて必要なだけなので、以後冷却モードだけを説明する。
【００１６】
一般に空調空間に積まれる温かい貨物は、空調空間に積まれる前に冷却される貨物より多くの湿気を持っている。冷たい貨物が空調空間に積まれるときより、温かい貨物が空調空間に積まれるときにより多くの凝縮物が蒸発器コイルにできる傾向がある。
【００１７】
除霜サイクルが一般に蒸発器コイルの除霜をするのに用いられ、コイルから凝縮物を取り除くために蒸発器コイルを通して温かい流体を循環させることを含んでいる。
【００１８】
図１〜４を参照すると、好ましい実施例の方法を実施するのに用いることができるコンピュータープログラムの形のアルゴリズムが例示されている。
【００１９】
図１を参照すると、プログラムは、ブロック２０で始まる。ブロック２０の後、プログラムは温度制御装置が動作しているかどうかをプログラムが決めるブロック２４へ進む。装置が動作していない場合（ブロック２４のＮＯ）、プログラムはブロック２０へ戻る。装置が動作している（ブロック２４のＹＥＳ）場合、プログラムは温度設定値がフレッシュ温度範囲にあるかどうかをプログラムが決めるブロック２８へ進む。本発明の好ましい実施例では、温度設定値は、温度制御装置にプログラムできる選択可能な温度である。温度制御装置は、空調空間を温度設定値に維持するように動作する。また、本発明の好ましい実施例では、温度制御装置は、バリヤー温度によって隔てられた冷凍温度範囲とフレッシュ温度範囲を備えている。各範囲は、バリヤー温度のそれらのそれぞれの側に温度範囲を備えている。本発明の好ましい実施例では、しかし、バリヤー温度は８．３℃であり、任意のバリヤー温度を用いることができて、なお本発明の意図された範囲の中にある。冷凍温度範囲とフレッシュ温度範囲は、それぞれバリヤー温度より下と上の温度を含む。
【００２０】
温度設定値がフレッシュ温度範囲にない場合（ブロック２８のＮＯ）、プログラムはブロック２０へ戻る。温度設定値がフレッシュ温度範囲にある場合（ブロック２８のＹＥＳ）、プログラムは温かい積荷除霜が作動不能にされるかどうかについてプログラムが決めるブロック３２へ進む。温かい積荷除霜が作動不能にされていると、除霜サイクルが空調空間の温かい貨物を検出している温度制御装置で蒸発器コイルから凝縮物の除去を開始できない。温かい積荷除霜が作動不能にされている場合（ブロック３２でＹＥＳ）、プログラムはブロック２０に戻る。温かい積荷除霜が作動不能にされていない場合（ブロック３２で）、温かい積荷除霜は作動可能にされ、プログラムは遅延が起こるブロック３６へ進む。温かい積荷除霜が作動可能にされる、除霜サイクルが空調空間の温かい貨物を検出している温度制御装置で蒸発器コイルから凝縮物の除去を開始できる。遅延は、装置が空調空間を冷却して、貨物が空調空間の中に積まれたあとの空調空間内の気温を安定させることを可能にする。本発明の好ましい実施例では、遅延は、１０分であるが、遅延は任意の長さの時間であってよく、なお本発明の意図された範囲の中にあることができる。ブロック３６の遅延の後、プログラムはブロック４０へ進む。
【００２１】
図２およびブロック４０を参照すると、プログラムは、制御センサーによって検出された温度が予め定められた温度より高いかどうか決める。制御センサーは、それが空調空間内の気温を正確にモニターすることができるように配置される。本発明の好ましい実施例では、制御センサーは、空調空間から温度制御装置へ戻る還気の気温をモニターするために配置されるが、制御センサーが、空調空間内の他の気温をモニターするために他の場所に置かれてもよく、それでもなお本発明の意図された範囲の中にある。予め定められた温度は、温度設定値より高い任意の温度にすることができる。本発明の好ましい実施例では、予め定められた温度は、温度設定値より８．３℃高い。これは、制御センサー温度が温度設定値より８．３℃より高いときだけ、温かい積荷除霜が作動可能にされることを確実にする、すなわち、温かい積荷除霜は、温かい貨物が空調空間に積まれるとき作動可能にされる。制御センサー温度は、予め定められた温度より高くない（ブロック４０でＮＯ）とプログラムが決めた場合、プログラムは温かい積荷除霜が作動不能にされるブロック４４へ進む。
【００２２】
ブロック４０をもう一度参照すると、制御センサー温度が予め定められた温度より高い（ブロック４０でＹＥＳ）とプログラムが決めた場合、プログラムは、インターバルタイマーが初期設定値または初期設定間隔にセットされるブロック５２へ進む。除霜インターバルタイマーは、２台の除霜サイクルの間の時間を決める。時間は、また、時間間隔ともいう。第１の除霜サイクルが終わったあと、インターバルタイマーが動き始めて、インターバルタイマーが時間間隔に達するまで動作し、その時点で第２の除霜サイクルが開始する（後で更に詳細に説明する）。本発明の好ましい実施例では、初期設定値時間間隔は、６０分であるが、初期設定値時間間隔は、任意の長さの時間にすることができ、それでもなお本発明の意図された範囲内にあることができる。
【００２３】
ブロック５２の後、プログラム制御センサー温度が温度設定値以下かどうかについてはプログラムが決めるブロック５６へ進む。制御センサー温度が温度設定値以下の場合（ブロック５６でＹＥＳ）、プログラムは時間間隔が、クリアまたはリセットされるブロック６０へ進む。ブロック６０の後、プログラムは温かい積荷除霜が作動不能にされるブロック４４へ進む。
【００２４】
ブロック５６をもう一度参照すると、制御センサー温度が温度設定値以下でない場合（ブロック５６でＮＯ）、プログラムは蒸発器コイルのコイル温度が除霜起動温度未満かどうかをプログラムが決めるブロック６４へ進む。コイル温度制御センサーは、蒸発器コイルのコイル温度をモニターするために位置決め可能である。コイル温度をモニターするコイル温度制御センサーは、当業者にとって周知なので、これ以上本願明細書において取り上げない。除霜起動温度は、除霜サイクルが始まるコイル温度を決める。除霜サイクルは、コイル温度が除霜起動温度以下に下がると始まる。本発明の好ましい実施例では、除霜起動温度は、５．５℃であるが、除霜起動温度は、任意の温度であってもよく、それでもなお本発明の意図された範囲の中にあることができる。コイル温度が除霜起動温度より低くない場合（ブロック６４でＮＯ）、プログラムは、ブロック５６に戻る。コイル温度が除霜起動温度未満の場合（ブロック６４でＹＥＳ）、プログラムは除霜サイクルが始められるブロック６８へ進む。ブロック６８の後、プログラムはブロック７２へ進む。
【００２５】
図３およびブロック７２を参照すると、除霜持続時間タイマーを始動させる。除霜持続時間タイマーは、除霜サイクルの開始および終了の間の期間を決める。この期間は、また、持続時間時間ともいう。持続時間タイマーは、初期設定最大持続時間によってプログラムされることができる。持続時間タイマーが初期設定最大持続時間に達するとき、除霜サイクルは終わる。本発明の好ましい実施例では、初期設定最大持続時間は３０分であるが、初期設定最大持続時間は任意の時間にすることができて、それでもなお本発明の意図された範囲内にあることができる。
【００２６】
ブロック７２の後、プログラムは運転除霜持続時間を記憶するブロック７６へ進む。運転除霜持続時間は、ほかの用途において用いられるので、それらの用途（後で更に詳細に説明する）のために記憶される。ブロック７６の後、プログラムは除霜持続時間タイマーが満了になっているかどうかをプログラムが決めるブロック８０へ進む。上記のように、持続時間タイマーが初期設定最大持続時間に達したとき、持続時間タイマーは切れる。除霜持続時間タイマーが切れている場合（ブロック８０でＹＥＳ）、プログラムは除霜サイクルを終りにするブロック８４へ進む。ブロック８４の後、プログラムは除霜持続時間タイマーがクリアされるブロック８８へ進む。
【００２７】
ブロック８８の後、プログラムは遅延が生じるブロック９２へ進む。遅延によって、温度制御装置が空調空間を冷却して、除霜サイクルの後の、空調空間内の温度を安定させることができる。不正なまたは偏った気温読み取りを得る可能性を減らすために空調空間内の気温をモニターする前に安定にされた温度にしておくことが望ましい。本発明の好ましい実施例では、遅延は、２分であるが、遅延は任意の長さの時間にすることができて、それでもなお本発明の意図された範囲内にあることができる。ブロック９２の後、プログラムは制御センサー温度が温度設定値以下かどうかをプログラムが決めるブロック９６へ進む。制御センサー温度が温度設定値以下の場合（ブロック９６でＹＥＳ）、プログラムは、温かい積荷除霜が作動不能にされるブロック１００へ進む。
【００２８】
ブロック９６をもう一度参照すると、制御センサー温度が温度設定値以下でない場合（ブロック９６でＮＯ）、プログラムは、コイル温度が除霜起動温度未満かどうかをプログラムが決めるブロック１０４へ進む。コイル温度が除霜起動温度（ブロック１０４のいいえ）未満でない場合、プログラムはブロック９６へ戻る。コイル温度が除霜起動温度未満の場合（ブロック１０４でＹＥＳ）、プログラムは、除霜サイクルが始められるブロック１０８へ進む。除霜サイクルを始めた後に、プログラムはブロック７２へ戻る。
【００２９】
ブロック８０をもう一度参照すると、除霜持続時間タイマーが切れていない場合（ブロック８０でＮＯ）、プログラムは、コイル温度が除霜停止温度より高いかどうかをプログラムが決めるブロック１１２へ進む。除霜停止温度は、除霜サイクルが終わるコイル温度を決める。コイル温度が除霜停止温度より上に上がるとき、除霜サイクルは終わる。本発明の好ましい実施例では、除霜停止温度は１４．４℃であるが、除霜停止温度は任意の温度であってもよく、それでもなお本発明の意図された範囲の中にある。コイル温度が除霜停止温度より高くない、場合（ブロック１１２でＮＯ）、プログラムは、除霜持続時間タイマーが更新されるブロック１１６へ更に進む。持続時間を更新した後、プログラムは更新された運転除霜持続時間が記憶されるブロック７６へ戻る。ブロック１１２をもう一度参照すると，コイル温度が除霜停止温度より高い場合（ブロック１１２でＹＥＳ）、プログラムはブロック１２０に進む。
【００３０】
図４およびブロック１２０を参照すると、除霜サイクルは、終りになる。除霜サイクルを終了した後に、プログラムは遅延が生じるブロック１２４へ進む。遅延によって、温度制御装置が空調空間を冷却して、除霜サイクルの後の空調空間内の温度を安定させることができる。本発明の好ましい実施例では、遅延は、２分であるが、遅延は任意の長さの時間にすることができて、それでもなお本発明の意図された範囲内にあることができる。ブロック１２４の後、プログラムは制御センサー温度が温度設定値以下かどうかをプログラムが決めるブロック１２８へ進む。制御センサー温度が温度設定値以下の場合（ブロック１２８でＹＥＳ）、プログラムは、温かい積荷除霜が作動不能にされるブロック１３２へ進む。温かい積荷除霜を作動不能にした後に、プログラムは除霜持続時間タイマーがクリアされるブロック１３６へ進む。除霜持続時間タイマーをクリアした後に、プログラムはインターバルタイマーがクリアされるブロック１４０へ進む。
【００３１】
ブロック１２８をもう一度参照すると、制御センサー温度がタイヤ温度設定値以下でない場合（ブロック１２８でＮＯ）、プログラムは、記憶された除霜持続時間が読み出されるブロック１４４へ進む。除霜持続時間は、それがブロック７６に記憶されていたので、検索可能である。記憶された持続時間は、除霜サイクルがブロック８４において切れた持続時間タイマーによってではなくブロック１２０においてコイル温度によって終りにされたので、初期設定最大持続時間より短くなるだろう。記憶された除霜持続時間を読み出した後に、プログラムは除霜間隔が定められるブロック１４８へ進む。本発明の実施例では、除霜時間間隔は、下の表１の数組の除霜間隔調整パラメータによって設定できるが、時間間隔は、異なる数組の除霜間隔調整パラメータを使用しても設定でき、それでもなお本発明の意図された範囲内にあることができる。数組の除霜時間間隔調整パラメータは、時間範囲および変更を含む。
【００３２】
表１
0004472269.tif 000002
【００３３】
表１の左の行は記憶された除霜持続時間に対応する掃引レンジを含み、右の行は、記憶された初期設定持続時間が相補時間範囲内にあるとき、除霜間隔に生ずる変更を含む。
【００３４】
除霜時間間隔に対する変更は、潜在的に装置の冷却効率を増やす。時間間隔を変えることによって、温度制御装置は、空調空間の内部の条件を変化させるために調整できる。特に、空調空間は高水分量（例えば、温かい貨物によって生じて）を有することがあり、それは低水分量より速い速度で、凝縮物を蒸発器コイルに形成させる。時間間隔（除霜サイクルの間の時間）を短くすることは、除霜サイクルを近づけ合わせて、蒸発器コイルに形成する凝縮物の増えるのを抑える。
【００３５】
プログラムが特定のパスに沿って繰り返し進む場合、時間間隔は表１のパラメータによって繰り返し変えられることができる。特定のパスは、ブロック７２、７６、８０、１１２、１２０、１２４、１２８、１４４、１４８、１５２、１５６、１６０および１６４（後で更に詳細に説明する１５２、１５６、１６０および１６４ブロック）を備える。特定のパスは、また、ブロック１６８および１７２（後で更に詳細に説明する）を備えることができる。ブロック１６４の後、プログラムが別の方法で決めなければ、プログラムは、プログラムが特定のパスに沿って再び進むブロック７２へ戻る。
【００３６】
プログラムが特定のパスに沿って最初に進むとき、初期設定間隔（ブロック５２でセットされる）は変更除霜間隔を作る表１のパラメータに従って変えられる。特定のパスに沿って二度目に進んでいるプログラムは、変更除霜時間間隔を第２の変更除霜時間間隔を作るように表１のパラメータに従って変える。プログラムが特定のパスに沿って進む限り、除霜間隔に対する変更は続く。
【００３７】
ブロック１４８の後、プログラムは除霜持続時間タイマーがクリアされるブロック１５２へ進む。除霜持続時間タイマーがクリアされたあと、プログラムは、インターバルタイマーが始動する除霜ブロック１５６へ進む。ブロック１５６の後、プログラムは除霜インターバルタイマーが切れているかどうかをプログラムが決めるブロック１６０へ進む。除霜インターバルタイマーが切れている場合（ブロック１６０のＹＥＳ）、プログラムは除霜サイクルが始まるブロック１６４へ進む。ブロック１６４の後、プログラムはブロック７２へ戻る。プログラムは、上記のようにブロック７２から進む。
【００３８】
ブロック１６０をもう一度参照すると、除霜間隔タイマーが切れていない場合（ブロック１６０のＮＯ）、プログラムは制御センサー温度が温度設定値以下かどうかをプログラムが決めるブロック１６８へ進む。制御センサー温度が温度設定値以下でない場合（ブロック１６８でＮＯ）、プログラムは、除霜インターバルタイマーが更新されるブロック１７２へ更に進む。ブロック１７２の後、プログラムはブロック１６０へ戻る。
【００３９】
ブロック１６８をもう一度参照すると、制御センサー温度が温度設定値以下の場合（ブロック１６８でＹＥＳ）、プログラムは、除霜インターバルタイマーがクリアされるブロック１７６へ進む。ブロック１７６の後、プログラムは温かい積荷除霜が作動不能にされるブロック１８０へ進む。
【００４０】
次に図５および６を参照すると、本発明の方法と装置を利用する温度制御装置２００が示されている。本願明細書において記載されている温度制御装置２００は、例示のためだけであって、制限を意味するものではない。本発明の方法は、他の温度制御装置において用いられてもなお本発明の精神と範囲内にある。温度制御装置２００は、輸送車の用途に特に適しており、コンテナ、トラック、トレーラまたは貨物の品質を保つために所定の温度を維持することを必要とする空調空間を備える他のいかなるタイプにも取り付けできる。図５は、空調空間２０８を有するトレーラ２４に載置された装置２００を示す。当業者には分かるように、トレーラはトラクタ２１２によって引かれる。
【００４１】
温度制御装置２００は、空調空間２０８の温度を制御して、選択された温度設定値に近い指定温度範囲内に温度を維持する。空調空間２０８は、また、温度制御装置によって事実上独立に制御される空調空間毎の温度を有する複数の空調空間に分けられることがある。図６に示すように、温度制御装置２００は、原動機設備２２４によって駆動される冷媒コンプレッサ２２０を含む閉流体冷媒回路または流路２１６を有する。本発明の好ましい実施例の原動機設備２２４は、内燃機関２２８および選択できる待機電動機２３２を備える。エンジン２２８およびモータ２３２は、両方が用いられるとき、モータ２３２を動かしたままエンジン２２８を切る適当なクラッチまたは連結器２３６によってコンプレッサ２２０に連結される。
【００４２】
コンプレッサ２２０の吐出口は、排出サービス弁２４４および排出ライン２４８を経て三方弁２４０の吸込口に接続されている。排出圧力変換器２５０は、圧縮冷媒の吐出圧力を測定するために三方弁２４０の上流の排出ライン２４８にある。三方弁２４０（冷暖房サイクルを選ぶ）の機能は、必要に応じて、二つの別々の弁によって与えられてもよい。三方弁２４０は、第１の排出口２５２（冷却サイクルを開始するのに選ばれる）を凝縮器コイル２５６の入口側に接続されている。三方弁２４０はまた、第２の排出口２６０を有し、それは加熱サイクルを始めるのに選択される。
【００４３】
三方弁２４０が冷却サイクル排出口２５２を選択するとき、それはコンプレッサ２２０を第１の冷媒流路２６４に接続し、第１の冷媒流路には凝縮器コイル２５６のほかに一方向の凝縮器逆止弁ＣＶ１、受け器２６８、液体ライン２７２、冷媒乾燥装置２７６、熱交換器２８０、膨張弁２８４、冷媒分配装置２８８、蒸発器コイル２９２、電子絞りコイル２９６、吸込圧力変換器２９８、熱交換器２８０を通るもう一つの流路、畜圧器３００、吸引ライン３０４、吸引ライン・サービス弁３０８を経てコンプレッサ２２０の吸気口へ戻る流路がある。膨張弁２８４は、熱量球３１２および均圧管３１６によって制御される
【００４４】
三方弁２４０が加熱サイクル排出口２６０を選択するとき、それはコンプレッサ２２０を第２の冷媒流路３２０に接続する。第２の冷媒流路３２０は、凝縮器コイル２５６と膨張弁２８４をバイパスして、コンプレッサ２２０の高温ガス出力を高温ガスライン３２４および除霜パン・ヒータ３２８を経て冷媒分配装置２８８に接続する。高温ガス・バイパス電磁弁３３２が冷却サイクルの間、熱ガスを高温ガスライン３２４に注入するために選択的に配置されてもよい。バイパスまたは加圧式ライン３３６が高温ガスライン３２４を逆止兼バイパス弁３４０経由で受け器２６８に接続して、加熱および除霜の間、活性冷媒流路に受け器２６８からの冷媒を押し込む。
【００４５】
ダクトまたはライン３４４が三方弁２４０を常閉パイロット電磁弁ＰＳ経由でコンプレッサ２２０の低圧側に接続する。電磁弁ＰＳが通電を断たれ、そのために閉じられるとき、三方弁２４０は、サイクル排出口２５２を冷却することを選択するためにばねでバイアスされる。蒸発器コイル２９２が除霜を必要とするとき、または、貨物が空調空間２０８において温度調節されていて、温度設定値を維持するために熱を必要とするとき、パイロット電磁弁ＰＳが付勢されて、コンプレッサ２２０の低圧側が加熱サイクルまたは除霜サイクルを始めるために加熱サイクル排出口２６０を選ぶように三方弁２４０を作動する。
【００４６】
凝縮器ファンまたは送風機（図示せず）（これらは原動機設備２２４によって駆動される）によって周囲空気３４８を凝縮器コイル２５６経由で流し、結果として加熱された空気３５２を大気に放出する。蒸発器ファンまたは送風機（また、図示せず）（これらはまた、原動機設備２２４によって駆動される）が空気３５６（「還気」という）を空調空間２０８から、隔壁３６４にある入口３６０を通り、隔壁空間３６８を上に通して吸い込む。隔壁３６４は、実質的に空調空間２０８の全高にわたるのが好ましい。還気温度センサー３７２が空調空間２０８の一番下から気温のサンプリングをする。
【００４７】
結果として生じる温度調節された冷風または熱風３７６（「排気」という）は、ファン（図示せず）によって出口３８０を経て空調空間２０８に戻されるかまたは排出される。排気温度センサー３８４が排気の気温の試料を採取する。蒸発器除霜サイクルの間、除霜調気弁３８８を用いて空調空間２０８への排気路を閉鎖することができる。
【００４８】
輸送車温度制御装置２００は、マイクロプロセッサ・ベースの制御装置３９６並びに電気制御回路およびリレー、ソレノイドなどを含む構成要素を備える電気制御装置３９２によって制御される。制御装置３９６は、温度設定値セレクタ（図示せず）からの入力を含む入力信号を適当なセンサーから受ける。温度設定値セレクタは空調空間２０８の設定温度、還気温度センサー３７２、排出温度センサー３８４、蒸発器コイル２９２の温度を検出するために配置されている蒸発器コイル温度センサーとスイッチ（図示せず）、排出圧力変換器２５０、および吸込圧力変換器２９８を選択するように使われる。制御装置３９６は、上記の通りに、とりわけ、電子絞りコイル２９６の位置決めを制御するために、電子絞りコイル２９６に出力信号を送る。
【００４９】
上で議論されるコンピュータープログラムの形のアルゴリズムは、制御装置３９６にプログラムされることができまたは制御装置３９６と相互作用するために別々の装置にプログラムされることができる。
【００５０】
本発明の特定の実施例が図示され説明されたが、他の代替実施例は当業者にとって明らかで、本発明の意図された範囲の中にある。
さまざまな本発明の特徴は、請求の範囲に記載される。
【図面の簡単な説明】
【図１】  輸送車温度制御装置の蒸発器コイルを除霜する方法を実施するのに用いることができるコンピュータープログラムの形のアルゴリズムを示しているフローチャートの最初の段階の部分である。
【図２】  図１のフローチャートに続く段階のフローチャートである。
【図３】  図２のフローチャートに続く除霜開始段階のフローチャートである。
【図４】  図３のフローチャートに続く除霜終結段階のフローチャートである。
【図５】  輸送車温度制御装置を有する車両の一部分断面図である側面図である側面図である。
【図６】  図５の輸送車温度制御装置の概略図である。
【符号の説明】
２００      輸送車温度制御装置
２０８      空調空間
２２０      圧縮機
２４０      三方弁
２５６      凝縮器コイル
２９２      蒸発器コイル
【図１】
0004472269.tif 000003
【図２】
0004472269.tif 000004
【図３】
0004472269.tif 000005
【図４】
0004472269.tif 000006
【図５】
0004472269.tif 000007
【図６】
0004472269.tif 000008